(57)【要約】【課題】携帯端末と１台以上のホスト端末を同一ユーザが所有して、公衆網の相手端末と通信する場合、すべての端末の電源をオン状態にして待ち受けると電力消費が問題となる。【解決手段】着信待ち受けを行っている間、ホスト端末１０２及び１０３は無線デバイスの電源をオフにして、携帯端末１０１でのみ着信の待ち受けを行う。携帯端末１０１に着信が発生したとき無線デバイスを公衆モード１０８からアドホックモード１０９へ切り替え、着信音を鳴らしユーザに知らせる。通話ボタンを押されたホスト端末１０２又は１０３では、無線デバイス電源制御手段１１０により無線デバイスの電源をオンにしてアドホックモード１０９に設定した後、携帯端末１０１からネットワーク設定情報１１２を受信する。ホスト端末１０２又は１０３は、公衆モード１０８に設定して相手ホスト端末１０６と通話を開始する。【選択図】            図１
2004193697.tif 000002
【特許請求の範囲】
【請求項１】
同一ユーザが所有する携帯端末と１台以上のホスト端末が、アドホックモードのときは互いの間で無線通信ができ、公衆モードのときは無線基地局を介して前記携帯端末又は前記ホスト端末と公衆網の相手端末との通信が可能である無線通信システムにおいて、
前記携帯端末は、前記公衆モードで常時着信を待ち受け、着信を検出したときは着信を報知する待ち受け手段と、前記待ち受け手段による着信検出時に前記アドホックモードに切り替え、前記ホスト端末からのネットワーク設定情報の取得要求受信又は着信応答操作により前記公衆モードに切り替える第１の動作モード切替手段と、前記ネットワーク設定情報の取得要求をした前記ホスト端末へ前記ネットワーク設定情報又は拒否情報を送信するネットワーク設定情報送信手段とを有し、
前記ホスト端末は、前記携帯端末への着信に対する応答操作により前記アドホックモードに設定し、前記ネットワーク設定情報の受信時に前記公衆モードに切り替える第２の動作モード切替手段と、前記携帯端末への着信に対する応答操作により電源をオンとする電源制御手段と、前記第２の動作モード切替手段により前記アドホックモードに設定され、かつ、前記電源制御手段により電源がオンとされた状態で前記ネットワーク設定情報の取得要求を前記携帯端末へ送信するネットワーク設定情報の取得要求送信手段と、前記携帯端末から送信された前記ネットワーク設定情報又は拒否情報を受信するネットワーク設定情報受信手段と、前記ネットワーク設定情報受信後に前記公衆網へ再接続要求を送信する送信手段と
を有し、着信検出時に着信を受けた前記携帯端末から着信応答操作をした前記ホスト端末へ前記ネットワーク設定情報を送信して該ホスト端末で前記相手端末と通話を開始することを特徴とする無線通信システム。
【請求項２】
前記携帯端末は、前記１台以上のホスト端末のコーデック能力をホスト端末の識別情報と対応付けて格納したプロファイル記憶手段と、着信信号に含まれる前記相手端末のコーデック能力と前記プロファイル記憶手段に記憶されている、着信応答の操作を行った前記ホスト端末のコーデック能力とを比較して通話が可能かどうか判定する通話判定手段とを更に有し、前記ネットワーク設定情報送信手段は前記ネットワーク設定情報の取得要求をした前記ホスト端末に対し、前記通話判定手段から通話可能の判定結果を受けたときは前記ネットワーク設定情報を送信し、通話不可能の判定結果を受けたときは前記拒否情報を送信し、
前記ホスト端末は、前記ネットワーク設定情報受信手段が前記ネットワーク設定情報を受信した時は前記送信手段により前記公衆網へ再接続要求を送信させ、前記拒否情報を受信した時は前記電源制御手段に電源のオフを指示する制御手段を更に有することを特徴とする請求項１記載の無線通信システム。
【請求項３】
前記携帯端末は、前記待ち受け手段による着信検出時にタイマ起動し、タイムアウトする時間内に前記ネットワーク設定情報の取得要求の受信及び着信応答操作のいずれも行われなかった時に、前記第１の動作モード切替手段に対し前記公衆モードに切り替え指示する第１のタイマ手段を更に有し、
前記ホスト端末は、着信応答操作によりタイマ起動し、タイムアウトする時間内に前記ネットワーク設定情報及び前記拒否情報のいずれも受信しなかった時に、前記電源制御手段に対し電源をオフするように指示する第２のタイマ手段を更に有することを特徴とする請求項１又は２記載の無線通信システム。
【請求項４】
前記携帯端末は、前記ホスト端末から前記ネットワーク設定情報の取得要求を受信する前に着信検出時の着信応答操作をしたときは、前記ホスト端末へ前記ネットワーク設定情報を送信することなく、着信応答を前記公衆網へ送信する着信応答送信手段を更に有することを特徴とする請求項１乃至３のうちいずれか一項記載の無線通信システム。
【請求項５】
同一ユーザが所有する携帯端末と１台以上のホスト端末が、アドホックモードのときは互いの間で無線通信ができ、公衆モードのときは無線基地局を介して前記携帯端末又は前記ホスト端末と公衆網の相手端末との通信が可能である無線通信システムに用いる携帯端末において、
前記無線基地局又は前記ホスト端末との間で無線通信すると共に公衆モード又はアドホックモードで動作すると共に、着信検出時は前記アドホックモードに切り替わる無線制御手段と、
前記無線制御手段を介して入力される受信信号からネットワーク設定情報要求を検出するネットワーク設定情報要求受信手段と、
前記ホスト端末のコーデック能力をそのホスト端末の識別情報と対応付けて格納したプロファイル記憶手段と、
接続可能な１カ所以上のネットワーク設定情報を記憶しているネットワーク設定情報記憶手段と、
前記ネットワーク設定情報要求受信手段により受信された前記ネットワーク設定情報要求の要求元のホスト端末のコーデック能力を前記プロファイル記憶手段から読み出して、着信信号に含まれるコーデック能力と比較して、通話の可否を判定する通話判定手段と、
前記通話判定手段からの判定結果に応じて、前記ネットワーク設定情報記憶手段から読み出したネットワーク設定情報、又は拒否情報を前記無線制御手段を介して前記ネットワーク設定情報の取得要求をしたホスト端末へ送信させるネットワーク設定情報送信手段と、
着信応答操作又は前記通話判定手段からの判定結果を受けて、前記相手ホスト端末との間での通話の開始、又は動作モードの切替の指示を行う通話アプリケーションと、
前記通話アプリケーションの指示に従い、前記無線制御手段を前記公衆モード又は前記アドホックモードに設定すると共に、前記ネットワーク設定情報記憶手段から前記ネットワーク設定情報を読み出して前記無線制御手段に設定する無線モード切替手段と
を有し、着信応答操作をした前記ホスト端末へ前記ネットワーク設定情報を送信して該ホスト端末で前記相手端末と通話を開始させることを特徴とする携帯端末。
【請求項６】
同一ユーザが所有する携帯端末と１台以上のホスト端末が、アドホックモードのときは互いの間で無線通信ができ、公衆モードのときは無線基地局を介して前記携帯端末又は前記ホスト端末と公衆網の相手端末との通信が可能である無線通信システムに用いるホスト端末において、
前記無線基地局又は前記携帯端末との間で無線通信すると共に前記公衆モード又は前記アドホックモードで動作する無線制御手段と、
着信応答操作により、無線デバイスの電源をオンに制御する無線デバイス電源制御手段と、
外部からの指示に基づき、前記公衆モード及び前記アドホックモードのうちのいずれか一方への切り替えを前記無線制御手段に指示する無線モード切替手段と、
前記無線制御手段を介して入力された受信信号中からネットワーク設定情報を検出したときは、前記無線モード切替手段へ前記公衆モードを指示する信号を出力するネットワーク設定情報受信手段と、
着信応答操作時は前記無線モード切替手段へ前記アドホックモードへの切替の指示を行うと共に、前記電源制御手段により電源をオンに制御させ、前記ネットワーク設定情報受信手段からネットワーク設定情報受信の通知を受けたときは前記公衆網へ再接続要求を前記無線制御手段を介して送信させる通話アプリケーションと、
着信応答操作時の前記通話アプリケーションからの指示により、前記携帯端末宛のネットワーク設定情報の要求を前記無線制御手段へ出力するネットワーク設定情報要求手段と
を有し、着信応答操作により電源をオンとして前記アドホックモードで前記携帯端末へ前記ネットワーク設定情報要求を送信することにより、該携帯端末から取得した前記ネットワーク設定情報に基づき、前記公衆モードで前記相手端末と通話を開始することを特徴とするホスト端末。
【発明の詳細な説明】
【０００１】
【発明の属する技術分野】
本発明は無線通信システム、携帯端末及びホスト端末に係り、特にアドホックモードと公衆モードの切り替え可能な無線デバイスを備える携帯端末と１台以上のホスト端末で構成される無線通信システムとそれに用いる携帯端末及びホスト端末に関する。
【０００２】
【従来の技術】
近年、ＩＥＥＥ（米国電気電子技術者協会）が策定した勧告８０２．１１の無線ＬＡＮ（ローカル・エリア・ネットワーク）や、Ｂｌｕｅｔｏｏｔｈなどの無線デバイスの小型化／軽量化に伴い、ノートパソコンやＰＤＡ（情報携帯端末）など様々な情報技術（ＩＴ）機器に近距離無線デバイスが実装されるようになった。更に、専用機器であった音声通話も、ＶｏＩＰ（Ｖｏｉｃｅ  ｏｖｅｒ  ＩＰ）ソフトウェアをアプリケーションとしてインストールすることにより汎用的なノートパソコンやＰＤＡにおいても可能となった。
【０００３】
この様な状況下にあって、一人のユーザが多数の端末を所有しているとき、それぞれの端末で着信の待ち受けを行おうとした場合、対象となるすべての端末で無線基地局の電波を監視する必要があり、ユーザが端末で作業を行わないときでも端末および無線デバイスに電源を入れておく必要があるため端末のバッテリ駆動時間が短くなっていった。
【０００４】
なお、携帯電話機の消費電力の低減化を図った無線通信システムが従来知られている（例えば、特許文献１参照）。この従来の無線通信システムは、有線電話回線に接続される親装置と、無線回線を介して前記親装置と接続される複数の無線電話機とを有し、単一の親装置によって複数の無線電話機との間の接続を行う無線電話装置において、前記複数の無線電話機のうちの選択された少なくとも１つの無線電話機のみを待ち受け状態とし、他の無線電話機を休止状態とする制御手段を備えた構成により、複数の無線電話機で消費される電力の低減化を図ろうとするものである。
【０００５】
【特許文献１】
特開昭６２−４８１３５号公報（第１−２頁）
【０００６】
【発明が解決しようとする課題】
しかるに、上記の従来の無線通信システムは、コードレス電話装置のような一台の親装置とその親装置に無線回線を介して接続される複数の無線電話機とからなるシステムに適用されるもので、相手端末は電話装置であるためにコーデック能力は予め既知であり、相手端末が携帯電話端末に限らずノート型のパソコンやＰＤＡ（携帯型情報機器）などの各種の端末がある可能性があり相手端末のコーデック能力が種々あるシステムには適用できない。また、上記の従来の無線通信システムでは、有線電話回線に接続されている親装置に着呼があった場合、親装置と複数の無線電話機の全てで一斉に着信音が鳴るため、着信音が他人に迷惑を及ぼす可能性がある。
【０００７】
本発明は以上の点に鑑みなされたもので、ホスト端末がそれぞれ異なったコーデック能力を有する場合であっても、１台の携帯端末で複数のホスト端末に対する着信待ち受けを行うことにより、無線デバイスの無駄な電源供給または無線スキャンを抑えてシステム全体の省電力化を実現し得る無線通信システム、携帯端末及びホスト端末を提供することを目的とする。
【０００８】
また、本発明他の目的は、過剰な着信音の発生を抑制し得る無線通信システム、携帯端末及びホスト端末を提供することにある。
【０００９】
【課題を解決するための手段】
上記の目的を達成するため、第１の発明の無線通信システムは、同一ユーザが所有する携帯端末と１台以上のホスト端末が、アドホックモードのときは互いの間で無線通信ができ、公衆モードのときは無線基地局を介して携帯端末又はホスト端末と公衆網の相手端末との通信が可能である無線通信システムにおいて、
携帯端末は、公衆モードで常時着信を待ち受け、着信を検出したときは着信を報知する待ち受け手段と、待ち受け手段による着信検出時にアドホックモードに切り替え、ホスト端末からのネットワーク設定情報の取得要求受信又は着信応答操作により公衆モードに切り替える第１の動作モード切替手段と、ネットワーク設定情報の取得要求をしたホスト端末へネットワーク設定情報又は拒否情報を送信するネットワーク設定情報送信手段とを有し、
ホスト端末は、携帯端末への着信に対する応答操作によりアドホックモードに設定し、ネットワーク設定情報の受信時に公衆モードに切り替える第２の動作モード切替手段と、携帯端末への着信に対する応答操作により電源をオンとする電源制御手段と、第２の動作モード切替手段によりアドホックモードに設定され、かつ、電源制御手段により電源がオンとされた状態でネットワーク設定情報の取得要求を携帯端末へ送信するネットワーク設定情報の取得要求送信手段と、携帯端末から送信されたネットワーク設定情報又は拒否情報を受信するネットワーク設定情報受信手段と、ネットワーク設定情報受信後に公衆網へ再接続要求を送信する送信手段とを有し、着信検出時に着信を受けた携帯端末から着信応答操作をしたホスト端末へネットワーク設定情報を送信してホスト端末で相手端末と通話を開始することを特徴とする。
【００１０】
この発明では、携帯端末への着信に対する応答操作があるまでホスト端末の無線デバイスの電源又は端末自体の電源をオフとしておき、着信検出時に着信応答操作をしたホスト端末の上記電源をオンとすると共に、着信を受けた携帯端末から着信応答操作をしたホスト端末へネットワーク設定情報を送信してホスト端末で相手端末と通話を開始するようにしたため、１台以上のホスト端末に対する着信待ち受けを１台以上のホスト端末の電源をオフとした状態で１台の携帯端末で行え、またホスト端末は携帯端末から受信したネットワーク設定情報に基づいて相手端末と通話を開始することができる。
【００１１】
また、上記の目的を達成するため、第２の発明の無線通信システムは、携帯端末を、１台以上のホスト端末のコーデック能力をホスト端末の識別情報と対応付けて格納したプロファイル記憶手段と、着信信号に含まれる相手端末のコーデック能力とプロファイル記憶手段に記憶されている、着信応答の操作を行ったホスト端末のコーデック能力とを比較して通話が可能かどうか判定する通話判定手段とを更に有する構成とし、ネットワーク設定情報送信手段がネットワーク設定情報の取得要求をしたホスト端末に対し、通話判定手段から通話可能の判定結果を受けたときはネットワーク設定情報を送信し、通話不可能の判定結果を受けたときは拒否情報を送信し、ホスト端末を、ネットワーク設定情報受信手段がネットワーク設定情報を受信した時は送信手段により公衆網へ再接続要求を送信させ、拒否情報を受信した時は電源制御手段に電源のオフを指示する制御手段を更に有する構成としたことを特徴とする。
【００１２】
この発明では、着信応答の操作を行ったホスト端末のコーデック能力を着信信号に含まれる相手端末のコーデック能力とを比較して通話が可能かどうか判定し、通話が可能な場合に限り、携帯端末がネットワーク設定情報を着信応答の操作を行ったホスト端末に送信して、通話を開始させることができる。
【００１３】
また、上記の目的を達成するため、第３の発明の無線通信システムは、携帯端末を、待ち受け手段による着信検出時にタイマ起動し、タイムアウトする時間内にネットワーク設定情報の取得要求の受信及び着信応答操作のいずれも行われなかった時に、第１の動作モード切替手段に対し公衆モードに切り替え指示する第１のタイマ手段を更に有する構成とし、ホスト端末を、着信応答操作によりタイマ起動し、タイムアウトする時間内にネットワーク設定情報及び拒否情報のいずれも受信しなかった時に、電源制御手段に対し電源をオフするように指示する第２のタイマ手段を更に有する構成としたことを特徴とする。
【００１４】
この発明では、携帯端末が待ち受けタイムアウトをトリガとして公衆モードへ切り替わり、ホスト端末がネットワーク設定情報を受信せず、かつ、拒否情報も受信しないでタイムアウトしたことをトリガとして電源をオフとすることができる。
【００１５】
また、上記の目的を達成するため、第４の発明の無線通信システムは、携帯端末を、ホスト端末からネットワーク設定情報の取得要求を受信する前に着信検出時の着信応答操作をしたときは、ホスト端末へネットワーク設定情報を送信することなく、着信応答を公衆網へ送信する着信応答送信手段を更に有する構成としたことを特徴とする。この発明では、ホスト端末でなく携帯端末自身が着信応答した時には、携帯端末が相手端末と通話を開始できる。
【００１６】
また、上記の目的を達成するため、第５の発明は、同一ユーザが所有する携帯端末と１台以上のホスト端末が、アドホックモードのときは互いの間で無線通信ができ、公衆モードのときは無線基地局を介して携帯端末又はホスト端末と公衆網の相手端末との通信が可能である無線通信システムに用いる携帯端末において、無線基地局又はホスト端末との間で無線通信すると共に公衆モード又はアドホックモードで動作すると共に、着信検出時はアドホックモードに切り替わる無線制御手段と、無線制御手段を介して入力される受信信号からネットワーク設定情報要求を検出するネットワーク設定情報要求受信手段と、ホスト端末のコーデック能力をそのホスト端末の識別情報と対応付けて格納したプロファイル記憶手段と、接続可能な１カ所以上のネットワーク設定情報を記憶しているネットワーク設定情報記憶手段と、ネットワーク設定情報要求受信手段により受信されたネットワーク設定情報要求の要求元のホスト端末のコーデック能力をプロファイル記憶手段から読み出して、着信信号に含まれるコーデック能力と比較して、通話の可否を判定する通話判定手段と、通話判定手段からの判定結果に応じて、ネットワーク設定情報記憶手段から読み出したネットワーク設定情報、又は拒否情報を無線制御手段を介してネットワーク設定情報の取得要求をしたホスト端末へ送信させるネットワーク設定情報送信手段と、着信応答操作又は通話判定手段からの判定結果を受けて、相手ホスト端末との間での通話の開始、又は動作モードの切替の指示を行う通話アプリケーションと、通話アプリケーションの指示に従い、無線制御手段を公衆モード又はアドホックモードに設定すると共に、ネットワーク設定情報記憶手段からネットワーク設定情報を読み出して無線制御手段に設定する無線モード切替手段とを有する構成としたものである。この発明では、着信応答操作をしたホスト端末へネットワーク設定情報を送信してホスト端末で相手端末と通話を開始させることを特徴とする。
【００１７】
また、上記の目的を達成するため、第６の発明は、同一ユーザが所有する携帯端末と１台以上のホスト端末が、アドホックモードのときは互いの間で無線通信ができ、公衆モードのときは無線基地局を介して携帯端末又はホスト端末と公衆網の相手端末との通信が可能である無線通信システムに用いるホスト端末において、無線基地局又は携帯端末との間で無線通信すると共に公衆モード又はアドホックモードで動作する無線制御手段と、着信応答操作により、無線デバイスの電源をオンに制御する無線デバイス電源制御手段と、外部からの指示に基づき、公衆モード及びアドホックモードのうちのいずれか一方への切り替えを無線制御手段に指示する無線モード切替手段と、無線制御手段を介して入力された受信信号中からネットワーク設定情報を検出したときは、無線モード切替手段へ公衆モードを指示する信号を出力するネットワーク設定情報受信手段と、着信応答操作時は無線モード切替手段へアドホックモードへの切替の指示を行うと共に、電源制御手段により電源をオンに制御させ、ネットワーク設定情報受信手段からネットワーク設定情報受信の通知を受けたときは公衆網へ再接続要求を無線制御手段を介して送信させる通話アプリケーションと、着信応答操作時の通話アプリケーションからの指示により、携帯端末宛のネットワーク設定情報の要求を無線制御手段へ出力するネットワーク設定情報要求手段とを有する構成としたものである。
【００１８】
この発明では、着信応答操作により電源をオンとしてアドホックモードで携帯端末へネットワーク設定情報要求を送信することにより、携帯端末から取得したネットワーク設定情報に基づき、公衆モードで相手端末と通話を開始することができる。
【００１９】
【発明の実施の形態】
次に、本発明の実施の形態について図面と共に説明する。図１は本発明になる無線通信システムの一実施の形態のシステム構成図を示す。同図において、携帯端末１０１は、携帯電話のように常時着信の待ち受けを行っている端末であり、アドホックモードと公衆モードの切り替え可能な無線デバイス１００と、スピーカやバイブレーション機能１１１を備え、着信発生時にユーザに知らせることができ、携帯端末自体も音声通話の機能を有する。また、ホスト端末１０２及び１０３は、ノート型のパソコンやＰＤＡ（携帯型情報機器）などであり、無線デバイス１００を備えると共に、音声のみ、又はテレビ電話などの通話機能を有している。本実施の形態の無線通信システムは、このような携帯端末１０１及び１台以上のホスト端末１０２、１０３を同一ユーザが所有して任意に操作する場合を想定している。
【００２０】
携帯端末１０１及びホスト端末１０２、１０３は、無線デバイス１００としてＩＥＥＥにより策定された勧告８０２．１１ｂによる無線ＬＡＮを実装する。この無線ＬＡＮは、２．４ＧＨｚ帯の周波数を使用し、変調方式は直接拡散（ＤＳ）方式であり、伝送速度は１１Ｍｂｐｓ又は５．５Ｍｂｐｓである。そして、無線ＬＡＮデバイスは、公衆モード１０８のとき、無線基地局１０４を介してインターネット１０５上に接続された相手のホスト端末１０６と通話ができる。また、無線デバイスがアドホックモード１０９のときは、携帯端末１０１とホスト端末１０２及び１０３間で通信ができる。無線デバイスが無線ＬＡＮの場合、公衆モードは一般的にインフラストラクチャーモードと呼ばれ、無線基地局１０４は、無線ＬＡＮアクセスポイントと呼ばれている。
【００２１】
発信側と着信側の通話呼を確立するには、インターネットの標準化組織であるＩＥＴＦ（Ｉｎｔｅｒｎｅｔ  Ｅｎｇｉｎｅｅｒｉｎｇ  Ｔａｓｋ  Ｆｏｒｃｅ）で勧告されているＳＩＰ（Ｓｅｓｓｉｏｎ  Ｉｎｉｔｉａｔｉｏｎ  Ｐｒｏｔｏｃｏｌ）と、音声や画像データを転送するためのＲＴＰ（Ｒｅａｌ−ｔｉｍｅ  Ｔｒａｎｓｐｏｒｔ  Ｐｒｏｔｏｃｏｌ）や、ＩＴＵ−Ｔ（国際電気通信連合電気通信標準化部門）が勧告したＨ．３２３などのプロトコルが用いられる。また、通常、音声呼の確立には、専用の呼制御サーバ１０７を設置することで、携帯端末およびホスト端末のネットワークサイトを跨いだ移動性の確保や、電話番号などの相手を特定する識別子と利用端末との関連付けを行う。
【００２２】
この無線通信システムの概略について説明する。相手のホスト端末１０６から着信待ち受けを行っている間、ホスト端末１０２及び１０３は無線デバイスの電源をオフにして、携帯端末１０１でのみ着信の待ち受けを行う。そして、携帯端末１０１に着信が発生したとき無線デバイスの動作モードを公衆モード１０８からアドホックモード１０９へ切り替え、着信音を鳴らしユーザに知らせる。この時、着信音発生に気づいたユーザは、実際に通話に利用したいホスト端末１０２又は１０３の通話ボタンを押すことで着信応答（オフフック）を行う。勿論、携帯端末１０１で通話したい場合には、携帯端末１０１の通話ボタンを押してもよい。
【００２３】
通話ボタンを押されたホスト端末１０２又は１０３では、無線デバイス電源制御手段１１０により無線デバイスの電源をオンにしてアドホックモード１０９に設定した後、携帯端末１０１へネットワーク設定情報１１２を要求する。携帯端末１０１では、ネットワーク設定情報１１２を要求してきたホスト端末１０２又は１０３のコーデック能力をプロファイル記憶手段１１３から読み出し、着信信号に含まれる相手ホスト端末１０６のコーデック能力と比較して、通話が可能な場合は、通話ボタンを押されたホスト端末１０２又は１０３へネットワーク設定情報１１２を送信する。ネットワーク設定情報１１２を受信したホスト端末１０２又は１０３では、そのネットワーク設定情報１１２を利用して公衆モード１０８に設定して相手ホスト端末１０６に対して着信応答を送信して通話を開始する。
【００２４】
次に、携帯端末１０１の構成について説明する。図４は携帯端末１０１の一実施の形態の機能ブロック図を示す。同図において、無線制御手段４０１は、無線モード切替手段４０２からの指示に従い、公衆モードまたはアドホックモードへ切り替えて、無線電波から受信したデータをネットワーク設定情報要求受信手段４０３及び通話アプリケーション４０４へ送信したり、ネットワーク設定情報送信手段４０５や通話アプリケーション４０４から入力されたデータを所定の送信信号形態に変換して無線電波で送信する。
【００２５】
ネットワーク設定情報要求受信手段４０３は、ネットワーク設定情報要求の受信を検出して、通話判定手段４０６へ供給する。通話判定手段４０６は、通話アプリケーション４０４から通知された着信信号に含まれるコーデック能力と、プロファイル記憶手段４０７に格納されているコーデック能力とを比較して、判定結果をネットワーク設定情報送信手段４０５及び通話アプリケーション４０４へ通知する。
【００２６】
ネットワーク設定情報送信手段４０５は、通話判定手段４０６からの判定結果が成功（通話可能）の場合は、ネットワーク設定情報記憶手段４０８から現在設定されているネットワーク設定情報を読み出して無線制御手段４０１へ供給し、拒否（通話不可能）の場合はネットワーク設定情報の拒否を無線制御手段４０１へ供給する。無線モード切替手段４０２は、通話アプリケーション４０４の指示に従い、ネットワーク設定情報記憶手段４０８からネットワーク設定情報を読み出して、無線制御手段４０１に設定する。
【００２７】
通話アプリケーション４０４は、オフフックやオンフックの操作や通話判定手段４０６からの判定結果を受けて相手ホスト端末１０６との間で通話を開始したり、無線モード切替手段４０２へ切替の指示を行う。プロファイル記憶手段４０７は、ホスト端末のコーデック能力を格納する。ネットワーク設定情報記憶手段４０８は、携帯端末１０１が接続可能な１カ所以上のネットワーク設定情報を記憶している。
【００２８】
図６は上記のネットワーク設定情報記憶手段４０８に記憶されているネットワーク設定情報の構成の一例を示す。ネットワーク設定情報は、無線基地局情報６０１と呼制御サーバ情報６０２に分類される。無線基地局情報６０１は、無線基地局をグルーピングするためのＥＳＳＩＤ（Ｅｘｔｅｎｄ  Ｓｅｒｖｉｃｅ  Ｓｅｔ−ＩＤｅｎｔｉｆｉｅｒ）６０４と、認証のためのＷＥＰキー（Ｗｉｒｅｄ  Ｅｒｕｉｖａｌｅｎｔ  Ｐｒｉｖａｃｙ  Ｋｅｙ）６０５を含む。この無線基地局情報６０１は、携帯端末で着信が発生したときに携帯端末に設定されていた無線ＬＡＮの設定である。呼制御サーバ情報６０２は、サーバのＩＰアドレス６０６と、認証に利用するユーザＩＤ６０７と、パスワード６０８からなる。
【００２９】
次に、ホスト端末１０２、１０３の構成について説明する。図５はホスト端末の一実施の形態の機能ブロック図を示す。同図において、無線制御手段５０１は、無線モード切替手段５０２からの指示に従い公衆モードまたはアドホックモードへ切り替えて、無線電波から受信したデータをネットワーク設定情報受信手段５０３及び通話アプリケーション５０４へ供給したり、ネットワーク設定情報要求手段５０５や通話アプリケーション５０４から供給されたデータを送信信号形態に変換して無線電波で送信する。
【００３０】
無線デバイス電源制御手段５０６は、通話アプリケーション５０４からの指示により無線デバイスの電源をオンまたはオフにする。無線モード切替手段５０２は、ネットワーク設定情報受信手段５０３または通信アプリケーション５０４からの指示により、公衆モードおよびアドホックモードのうちのいずれか一方への切り替えを無線制御手段５０１へ指示する。
【００３１】
ネットワーク設定情報要求手段５０５は、通話アプリケーション５０４からの指示により、携帯端末宛のネットワーク設定情報の要求を無線制御手段５０１へ出力する。ネットワーク設定情報受信手段５０３は、無線制御手段５０１から入力されたネットワーク設定情報を無線モード切替手段５０２へ供給したり、ネットワーク設定情報の受信結果を通話アプリケーション５０４へ通知する。通話アプリケーション５０４は、オフフックやオンフック操作やネットワーク設定情報受信手段５０３からの受信結果に基づき、相手ホスト端末との間で通話を確立したり、無線モード切替手段５０２への切替の指示を行う。
【００３２】
次に、図１のプロファイル記憶手段１１３が記憶するテーブル構成について説明する。図７は携帯端末のプロファイル記憶手段のテーブル構成の一例を示す。同図に示すように、テーブルは、ホスト端末又は携帯端末を識別するための端末ＩＤ７０１と、各端末が有するコーデックの能力を示すコーデック能力７０２とが対応付けて格納された構成である。この実施の形態では、端末ＩＤ７０１は、各ホスト端末を区別する任意の文字列（ＭＴ、ＮＯＴＥＰＣ、ＰＤＡなど）としている。また、コーデック能力７０２には、「中品質音声」、「テレビ電話」、「高品質音声」などがある。
【００３３】
次に、以上の装置及び機能ブロックから構成される本実施の形態の無線通信システムの動作について、図２及び図３の各フローチャートを併せ参照して詳細に説明する。ここで、図２は携帯端末１０１の動作を説明するフローチャートであり、図３はホスト端末１０２、１０３の動作を説明するフローチャートである。
【００３４】
まず、携帯端末１０１が相手のホスト端末１０６からの着信発生を検出したものとすると（図２のステップ２００）、無線モードをアドホックモードに切り替え（図２のステップ２０１）、タイマを起動し（図２のステップ２０２）、ユーザに着信発生を知らせるメロディを鳴らす（図２のステップ２０３）。
【００３５】
これにより、ユーザがホスト端末１０２又は１０３の通話ボタンを押して着信応答の操作をすると（図３のステップ３００）、通話アプリケーション５０４から指示により無線デバイス電源制御手段５０６が、そのホスト端末の無線デバイスの電源をオンにし（図３のステップ３０１）、また無線モード切替手段５０２が無線制御手段５０１の動作モードをアドホックモードに設定した（図３のステップ３０２）後、携帯端末１０１へネットワーク設定情報の要求を送信して（図３のステップ３０３）、タイマを起動する（図３のステップ３０４）。上記のネットワーク設定情報の要求には、ネットワーク設定情報の要求を送信した端末を識別するための端末ＩＤが含まれている。
【００３６】
携帯端末１０１は、ホスト端末１０２又は１０３から送信されたネットワーク設定情報の要求をそのネットワーク設定情報要求受信手段４０３で受信すると（図２のステップ２０４）、通話判定手段４０６がプロファイル記憶手段４０７（図１の１１３）のテーブルから上記のネットワーク設定情報の要求に含まれる端末ＩＤをキーにしてコーデック能力を呼び出すと共に、通話アプリケーション４０４から通知された着信信号に含まれる相手ホスト端末１０６のコーデック能力を比較して通話可能かどうか判定する（図２のステップ２０５）。
【００３７】
例えば、図７に示したプロファイル記憶手段１１３（図４の４０７）のテーブルを参照して、通話ボタンを押したホスト端末１０２の端末ＩＤ７０１が「ＮＯＴＥＰＣ」であるものとすると、そのコーデック能力７０２は「テレビ電話」であり（図７に７０３で示す）、一方、着信信号に含まれる相手ホスト端末１０６のコーデック能力が”テレビ電話”であった場合は、両者のコーデック能力が一致するので通話可能と見なし、その判定結果を成功としてネットワーク設定情報送信手段４０５に通知する。
【００３８】
これにより、ネットワーク設定情報送信手段４０５は、現在設定されているネットワーク設定情報をネットワーク設定情報記憶手段４０８から読み出して無線制御手段４０１を介して図１に１１２で示すように無線送信させる（図２のステップ２０６）。続いて、携帯端末１０１は、その無線モード切替手段４０２により公衆モードに切り替え（図２のステップ２０７）、着信メロディを停止する（図２のステップ２０８）。
【００３９】
ここで、図２のステップ２０６で携帯端末１０１がネットワーク設定情報の要求元のホスト端末１０２へ送信するネットワーク設定情報１１２には、図６に示したネットワーク設定情報記憶手段４０８に格納されている現在の無線基地局情報６０１と呼制御サーバ６０２が含まれている。
【００４０】
ホスト端末１０２は、無線制御手段５０１を介して供給される受信信号中からネットワーク設定情報受信手段５０３でネットワーク設定情報を検出すると（図３のステップ３０５のＹＥＳ）、無線モード切替手段５０２により無線制御手段５０１を公衆モードに切り替えるように指示する（図３のステップ３０６）。続いて、ホスト端末１０２は、相手ホスト端末１０６との通話を開始するために着信応答（再接続要求）を図１に示した呼制御サーバ１０７へ送信する（図３のステップ３０７）。
【００４１】
他方、図２のステップ２０５の判定において、通話ボタンを押したホスト端末がホスト端末１０３であり、その端末ＩＤ７０１が「ＭＴ」であるものとすると、そのコーデック能力７０２は「中品質音声」であり、一方、着信信号に含まれる相手ホスト端末１０６のコーデック能力が”テレビ電話”であった場合は、両者のコーデック能力が不一致であるので、通話判定手段４０６は通話不可能と判断し、拒否の判定結果をネットワーク設定情報送信手段４０５と通話アプリケーション４０４へ通知する。
【００４２】
この拒否の判定結果の通知に基づき、携帯端末１０１のネットワーク設定情報送信手段４０５は、無線制御手段４０１よりネットワーク設定情報の拒否をネットワーク設定情報の要求元のホスト端末１０３へ無線送信させる（図２のステップ２０９）。続いて、携帯端末１０１は、その無線モード切替手段４０２により公衆モードに切り替え（図２のステップ２１０）、着信メロディを停止する（図２のステップ２０８）。
【００４３】
一方、ホスト端末１０３は、無線制御手段５０１を介して供給される受信信号中からネットワーク設定情報受信手段５０３でネットワーク設定情報の拒否を検出すると（図３のステップ３０８のＹＥＳ）、通話アプリケーション５０４を介して無線デバイス電源制御手段５０６を制御して無線デバイスの電源をオフする（図３のステップ３０９）。
【００４４】
なお、ホスト端末１０２又は１０３で、ネットワーク設定情報およびネットワーク設定情報の拒否、共に受信されずタイムアウトが発生した場合（図３のステップ３０５、３０８、３１０）も、無線デバイスの電源をオフにする（図３のステップ３０９）。
【００４５】
また、着信応答（オフフック）の操作をホスト端末１０２又は１０３ではなく、携帯電話１０１で行ったときは、設定情報の取得要求を受信せず、オフフックが検出されるので（図２のステップ２０４、２１１）、このときはオフフックによる通話アプリケーション４０４の指示に基づき無線制御手段５０１がアドホックモードから公衆モードに切り替え（図２のステップ２１２）、図１の呼制御サーバ１０７へ着信応答を送信して（図２のステップ２１３）、相手ホスト端末１０６と通話を開始する。
【００４６】
また、ホスト端末１０２及び１０３からネットワーク設定情報の要求と、携帯端末１０１での着信応答（オフフック）の操作のいずれも行われずにタイムアウトが発生した場合（図２のステップ２０４、２１１、２１４）は、通話アプリケーション５０４の指示に従い、無線制御手段５０１はアドホックモードから公衆モードへ切り替える（図２のステップ２１５）。また、相手ホスト端末１０６は、携帯端末１０１およびホスト端末１０２及び１０３を呼び出してから通話が確立されるまでの間は、一般的にリンギング（ＲＩＮＧＩＮＧ）と呼ばれる呼び出し音を鳴らし続ける。
【００４７】
このように、本実施の形態によれば、携帯端末１０１およびホスト端末１０２及び１０３に対する着信待ち受けを１台の携帯端末１０１で行うようにしているため、着信待ち受けを行わないホスト端末１０２及び１０３の省電力化を実現できる。また、異なるコーデック能力を有するホスト端末１０３に対する着信待ち受けも１台の携帯端末１０１で実施することで、着信待ち受けを行わない端末１０２の省電力化を実現できる。
【００４８】
また、この実施の形態では、ホスト端末１０２及び１０３は携帯端末１０１からネットワーク設定情報を取得することにより、通話を行うホスト端末１０２又は１０３で改めてネットワークの検出を行わないため、ネットワークの検出に係る無駄な電波送信を抑えることで省電力化を実現できる。
【００４９】
更に、この実施の形態では、ユーザへの着信通知方法としてバイブレーションモードなどを実装していないホスト端末１０２、１０３に対する着信であっても、携帯電話に実装されている着信通知方法を利用することができる。
【００５０】
なお、本発明は以上の実施の形態に限定されるものではなく、例えば、図１ではホスト端末は１０２及び１０３の２台としているが、１台以上ならば何台でも構わない。また、図１では無線デバイスの電源のみオン／オフしていたが、端末全体の電源をオン／オフしても構わない。更に、図７のプロファイル記憶手段１１３（４０７）の記憶テーブルは、１つの端末ＩＤに対して１つのコーデック能力を記述しているが、１つの端末ＩＤに対して多数のコーデック能力を記述してもよい。
【００５１】
【発明の効果】
以上説明したように、本発明によれば、アドホックモードと公衆モードの切り替え可能な無線デバイスを備える携帯端末と１台以上のホスト端末で構成される無線通信システムにおいて、以下の数々の特長を有するものである。
【００５２】
（１）１台以上のホスト端末に対する着信待ち受けを１台以上のホスト端末の電源をオフとした状態で１台の携帯端末で行うようにしたため、着信待ち受けを行わないホスト端末の省電力化を実現できる。
【００５３】
（２）１台以上のホスト端末は携帯端末から受信したネットワーク設定情報に基づいて相手端末と通話を開始することができるようにしたため、通話を行うホスト端末で改めてネットワーク設定情報の検出を不要にでき、その結果、ネットワークの検出に関わる無駄な電波を抑えることで省電力化を実現できる。
【００５４】
（３）着信応答の操作を行ったホスト端末のコーデック能力を着信信号に含まれる相手端末のコーデック能力とを比較して通話が可能かどうか判定し、通話が可能な場合に限り、携帯端末がネットワーク設定情報を着信応答の操作を行ったホスト端末に送信して、通話を開始させるようにしたため、異なるコーデック能力を有するホスト端末に対する着信待ち受けも１台の携帯端末で実施することで、着信待ち受けを行わない端末の省電力化を実現できる。
【００５５】
（４）ユーザへの着信通知方法としてバイブレーションモードなどを実装していない端末に対する着信であっても、携帯電話に実装されている場合はその通知方法を利用することができる。
【００５６】
（５）同一ユーザが所有している複数の端末で着信可能な呼び出しが発生した時に、一台の携帯端末でのみ着信音が鳴り、同時にすべての端末で着信音が鳴らないため、過剰な着信音を抑制することができ、他人への迷惑を防止できる。
【図面の簡単な説明】
【図１】本発明の一実施の形態のシステム構成図である。
【図２】図１中の携帯端末の動作を説明するフローチャートである。
【図３】図１中のホスト端末の動作を説明するフローチャートである。
【図４】図１中の携帯端末の一実施の形態の機能ブロック図である。
【図５】図１中のホスト端末の一実施の形態の機能ブロック図である。
【図６】図４中のネットワーク設定情報記憶手段に記憶されているネットワーク設定情報の構成の一例を示す図である。
【図７】図１中の携帯端末のプロファイル記憶手段のテーブル構成の一例を示す図である。
【符号の説明】
１０１  携帯端末
１０２、１０３  ホスト端末
１０４  無線基地局
１０５  インターネット
１０６  相手ホスト端末
１０７  呼制御サーバ
１０８  公衆モード
１０９  アドホックモード
１１２  ネットワーク設定情報
１１３、４０７  プロファイル記憶手段
４０１、５０１  無線制御手段
４０２、５０２  無線モード切替手段
４０３  ネットワーク設定情報要求受信手段
４０４、５０４  通話アプリケーション
４０５  ネットワーク設定情報送信手段
４０６  通話判定手段
４０８  ネットワーク設定情報記憶手段
５０３  ネットワーク設定情報受信手段
５０５  ネットワーク設定情報要求手段
５０６  無線デバイス電源制御手段
【図１】
2004193697.tif 000003
【図２】
2004193697.tif 000004
【図３】
2004193697.tif 000005
【図４】
2004193697.tif 000006
【図５】
2004193697.tif 000007
【図６】
2004193697.tif 000008
【図７】
2004193697.tif 000009